(57)【要約】      （修正有）【課題】回路などへ接続する場合に極性を間違えずに接続できる発光ダイオードを提供する。【解決手段】アノードとカソードを有する発光デバイス１００はアノードに接続される第１のリード線と、カソードに接続される第２のリード線とを有する。第１のリード線は第１の湾曲部１４２を有し、この第１の湾曲部の方向は、第１のリード線がアノードに接続されることを示す。第２のリード線は第２の湾曲部を有し、この第２の湾曲部の方向は、第２のリード線がカソードに接続されることを示す。【選択図】図２
2009283911.tif 000002
【特許請求の範囲】
【請求項１】
アノードおよびカソードを有する発光デバイスであって、
前記発光デバイスのアノードに接続される第１のリード線と、
前記発光デバイスのカソードに接続される第２のリード線と、
前記第１のリード線内の第１の湾曲部と、
前記第２のリード線内の第２の湾曲部と、
を備え、
前記第１の湾曲部の方向は、前記第１のリード線が前記アノードに接続されることを示し、
前記第２の湾曲部の方向は、前記第２のリード線が前記カソードに接続されることを示す、発光デバイス。
【請求項２】
前記第１のリード線が、前記第１の湾曲部によって連結された第１の部分および第２の部分を備え、前記第１の部分の方向が前記第２の部分の方向に対して実質的に垂直である、請求項１に記載の発光デバイス。
【請求項３】
前記第２のリード線が、前記第２の湾曲部によって連結された第１の部分および第２の部分を備え、前記第１の部分の方向が前記第２の部分の方向に対して実質的に垂直である、請求項１に記載の発光デバイス。
【請求項４】
取付け用プラットフォームをさらに備え、該取付け用プラットフォームから前記第１のリード線および前記第２のリード線が伸長し、前記取付け用プラットフォームは、実質的に平面であり、かつ前記第１の湾曲部および前記第２の湾曲部の方向が前記取付け用プラットフォームに対して実質的に平行である、請求項１に記載の発光デバイス。
【請求項５】
前記第１の湾曲部の方向が、前記第２の湾曲部の方向と実質的に逆である、請求項１に記載の発光デバイス。
【請求項６】
アノードおよびカソードを有する発光器であって、
前記発光器のアノードに接続される、それぞれ第１の部分と第２の部分とを含む第１のリード線および第２のリード線と、
前記発光器のカソードに接続される、それぞれ第１の部分と第２の部分とを含む第３のリード線および第４のリード線と、
前記第１のリード線の前記第１の部分と前記第２の部分との間に位置し、該第２の部分を第１の軸線に沿って第１の方向に伸長させる第１の湾曲部と、
前記第２のリード線の前記第１の部分と前記第２の部分との間に位置し、該第２の部分を、前記第１の軸線に平行な第２の軸線に沿って第２の方向に伸長させる第２の湾曲部と、
前記第３のリード線の前記第１の部分と前記第２の部分との間に位置し、該第２の部分を、前記第１の軸線に平行な第３の軸線に沿って第３の方向に伸長させる第３の湾曲部と、
前記第４のリード線の前記第１の部分と前記第２の部分との間に位置し、該第２の部分を、前記第１の軸線に平行な第４の軸線に沿って第４方向に伸長させる第４の湾曲部と、
を備え、
前記方向は、前記第１のリード線、前記第２のリード線、前記第３のリード線、および前記第４のリード線の前記発光器のどの端子であるかを示す、発光器。
【請求項７】
取付け部分をさらに備え、該取付け部分から前記リード線の前記第１の部分が伸長し、前記取付け部分は実質的に平面であり、かつ前記第１の軸線が前記取付け部分に対して実質的に平行である、請求項６に記載の発光器。
【請求項８】
前記第１の方向および前記第２の方向が、前記取付け部分に対して実質的に内向きであり、かつ前記第３の方向および前記第４の方向が、前記取付け部分に対して実質的に外向きである、請求項７に記載の発光器。
【請求項９】
前記第１の方向および前記第２の方向が、前記取付け部分に対して実質的に外向きであり、かつ前記第３の方向および前記第４の方向が、前記取付け部分に対して実質的に内向きである、請求項７に記載の発光器。
【請求項１０】
前記リード線の前記第１の部分が、前記リード線の前記第２の部分に対して実質的に垂直である、請求項６に記載の発光器。
【請求項１１】
前記第１の方向が前記第２の方向と実質的に同一であり、かつ前記第３の方向および前記第４の方向とは実質的に同じでない、請求項６に記載の発光器。
【請求項１２】
前記第３の方向および前記第４の方向は実質的に同一であり、前記第１の方向とは実質的に逆向きである、請求項１１に記載の発光器。
【請求項１３】
基板と、
前記基板に装着され、第１の端子および第２の端子を有する発光器と、
前記基板から伸長して前記第１の端子に接続され、前記基板に隣接して配置された第１の部分と、第１の方向に伸長する第２の部分とを含む少なくとも１つの第１のリード線と、
前記基板から伸長して前記アノードに接続され、前記基板に隣接して配置された第１の部分と、第２の方向に伸長する第２の部分とを含む少なくとも１つの第２のリード線と、
を備え、
前記第１の方向は、前記少なくとも１つの第１のリード線が前記第１の端子に接続されることを示し、
前記第２の方向は、前記少なくとも１つの第２のリード線が前記アノードに接続されることを示す、発光デバイス。
【請求項１４】
前記少なくとも１つの第１のリード線と前記少なくとも１つの第２のリード線が、前記基板の外周部近辺から伸長し、前記第１の方向は、前記基板に対して実質的に内向きであり、かつ前記第２の方向は、前記基板に対して実質的に外向きである、請求項１３に記載の発光デバイス。
【請求項１５】
前記少なくとも１つの第１のリード線と前記少なくとも１つの第２のリード線が、前記基板の外周部近辺から伸長し、前記第１の方向は、前記基板に対して実質的に外向きであり、かつ前記第２の方向は、前記基板に対して実質的に内向きである、請求項１３に記載の発光デバイス。
【請求項１６】
前記第１の方向が前記第２の方向に対して逆向きである、請求項１３に記載の発光デバイス。
【発明の詳細な説明】
【背景技術】
【０００１】
多くの発光デバイスは、中に配置され光源として機能する発光ダイオード又は類似のデバイスを有する。発光ダイオードは、発光するために中を通過する順方向の電流を必要とする。このため、発光ダイオードを回路などに接続する場合、極性を正しく行う必要があり、そうしないと発光しない。
【０００２】
多くの発光デバイスには、カソードとアノードを正しく接続するために、それらを示すマーキングがある。しかしながら、発光デバイスが小さくなるにつれて、これらのマーキングを見ることが難しくなり、発光デバイスの接続を間違える可能性がある。
【図面の簡単な説明】
【０００３】
【図１】発光デバイスの実施形態の平面図である。
【図２】図１の発光デバイスの側面図である。
【図３】図１の発光デバイスの底面図である。
【発明を実施するための形態】
【０００４】
発光デバイス１００の平面図が、図１に示されている。この発光デバイス１００は、上に光源１０６が取り付けられた基板１０４を備えている。光源は、発光ダイオード又は類似なものとすることができる。この光源１０６はアノード端子及びカソード端子を有し、これらの端子は光源１０６が発光するために正しい電圧極性を必要とする。この基板１０４は、特定のリード線を位置決めする向きを与えるノッチ１０８を有する。
【０００５】
基板１０４は、その上に配置された電気トレースを有する。図１の発光デバイス１００の実施形態では、基板１０４は、その上に配置された第１のトレース１１０及び第２のトレース１１２を有している。第１のトレース１１０は光源１０６のアノードに接続され、第２のトレース１１２は光源１０６のカソードに接続される。図１の実施形態では、リード線１１４が、光源１０６のカソードを第２のトレース１１２に接続している。
【０００６】
本願で説明される発光デバイス１００は、４つのリード線１２０を有している。発光デバイスは接続される別の数のリード線を有することができることに注意されたい。リード線１２０は別個に、第１のリード線１２２、第２のリード線１２４、第３のリード線１２６、及び第４のリード線１２８と呼ばれる。図１の発光デバイス１００の実施形態では、第１のリード線１２２及び第２のリード線１２４は一緒に接続され、光源１０６のアノードに接続される。第３のリード線１２６と第４のリード線１２８は一緒に接続され、リード線１１４を介して光源１０６のカソードに接続される。
【０００７】
発光デバイス１００の側面図が、図２に示されている。レンズ１３０が基板１０４上に配置されている。このレンズ１３０は、図１の発光器１０６が発した光を方向付ける働きをする。基板１０４上のレンズ１３０とは反対側に取付け部分１３４が位置していて、そこからリード線１２０が伸びている。この取付け部分１３４は実質的に平面であり、発光デバイス１００が最終的に取り付けられる回路基板などに接触するが、接触しないこともある。
【０００８】
リード線１２０は、本願では第１の部分１４０、湾曲部１４２、及び第２の部分１４４を有するものとする。第１の部分１４０は、取付け部分１３４から伸長している。幾つかの実施形態では、この第１の部分１４０は、取付け部分１３４に対して実質的に垂直に伸長する。湾曲部１４２はリード線１２０の方向を変更し、第１の部分１４０と第２の部分１４４との間に存在する。以下に説明するが、第２の部分１４４は、取付け部分１３４に実質的に平行な方向に延びることができる。第２の部分１４４の方向は、湾曲部１４２の方向と呼ばれることがある。
【０００９】
第３のリード線１２６の第２の部分１４４は、第１の軸線１５０に沿って伸長し、また第４のリード線１２８の第２の部分１４４は、第２の軸線１５２に沿って伸長する。この第１の軸線１５０と第２の軸線１５２とは互いに平行であり、また取付け部分１３４に対しても平行にすることができる。リード線１２０の第２の部分１４４は、それぞれ、第１の軸線１５０と第２の軸線１５２に沿って、第１の方向１５４又は第２の方向１５６のどちらかに伸長する。第２の部分１４４の方向により、リード線が図１の発光器１０６のアノードに接続されるか又はカソードに接続されるかについての指示が与えられる。図２に示されている発光デバイスの実施形態では、第３のリード線１２６は第１の方向１５４に向かい、第４のリード線１２８は第２の方向１５６に向いている。逆向きのリード線は、図１の発光器１０６のカソードに接続されているリード線を示している。以下に説明されるように、リード線方向の他の構成も使用することができる。
【００１０】
発光デバイス１００の底面図が図３に示されている。ノッチ１０８は、特定のリード線の位置を識別するように機能する。例えば、ノッチ１０８に最も近いリード線は、一緒に接続される。図示されているように、リード線１２０の第２の部分１４４は種々の方向に伸長している。この実施形態では、リード線１２０の第２の部分１４４が、方向１５４又は方向１５６のいずれかに沿って伸長している。第１のリード線１２２及び第２のリード線１２４の第２の部分１４４は、両方とも第２の方向１５６に伸長している。両方の第２の部分１４４が同じ方向に伸長する場合、それらは図１の光源１０６のカソードに接続される。第３のリード線１２６と第４のリード線１２８の第２の部分１４４は、反対方向に伸長しており、このことは、リード線１２６、１２８が図１の光源１０６のアノードに接続されていることを示している。
【００１１】
リード線を識別する別の実施形態も使用できる。例えば、同じ方向に伸長する第２の部分１４４をアノードに接続し、反対方向に伸長する第２の部分をカソードに接続することができる。別の実施形態では、ある方向に伸長する第２の部分１４４をアノードに接続し、別の方向に伸長する第２の部分１４４をカソードに接続することができる。本願で説明されるリード線１２０が第１の方向１５４又は第２の方向１５６に伸長するように示されており、第１の方向１５４が第２の方向１５６の反対方向であることに注意されたい。他の方向を使用することもできる。例えば、第１の方向１５４は第２の方向１５６の反対方向ではなく、一例として、第２の方向１５６に対して垂直にすることができる。
【００１２】
上記の実施形態を用いて、種々のリード線の構成を使用することができる。これらの幾つかの実施形態では、ノッチ１０８の向きは要求されない。上記の実施形態による図３の実施例を用いて、第３のリード線１２６の第２の部分１４４が第１の方向１５４に伸長しているため、第３のリード線１２６を第１の端子、すなわち、アノードに接続することができる。第１のリード線１２２、第２のリード線１２４、及び第４のリード線１２８の第２の部分１４４が全て第２の方向１５６に伸長し、これはそれらのリード線が第２の端子、すなわち、カソードに接続されることを示す。同様の実施形態では、内側に湾曲する第２の部分１４４が第１の端子に接続され、外側に湾曲する第２の部分１４４が第２の端子に接続される。
【符号の説明】
【００１３】
１００：発光デバイス
１０４：基板
１２０：リード線
１２６：第３のリード線
１２８：第４のリード線
１３０：レンズ
１３４：取付け部分
１４０：第１の部分
１４２：湾曲部
１４４：第２の部分
１５０：第１の軸線
１５２：第２の軸線
１５４：第１の方向
１５６：第２の方向
【図１】
2009283911.tif 000003
【図２】
2009283911.tif 000004
【図３】
2009283911.tif 000005
【外国語明細書】
2009283911.tif 000006
2009283911.tif 000007
2009283911.tif 000008
2009283911.tif 000009
2009283911.tif 000010
2009283911.tif 000011
2009283911.tif 000012
2009283911.tif 000013
2009283911.tif 000014
2009283911.tif 000015
2009283911.tif 000016
2009283911.tif 000017
2009283911.tif 000018